(57)【要約】      （修正有）【課題】  パソコンの電源を公衆回線網に接続された電話端末を音声案内メッセージに従い操作してパソコンを遠隔地からオン、オフまたはリセット制御する。【解決手段】  パソコン本体２０にマスター送受信部１００を設け、他のパソコン本体１１０，１２０にスレーブ送受信部１１２，１２２設ける。遠隔操作用電話機１０の発信に対応するリングトーンが所定回数到来したこと及び発信者識別情報がデータ記憶部４６に登録されている情報であることがＣＰＵ５０で判定された時に遠隔操作用電話機１０と対応するパソコン本体間の通話ループを形成し、その後、音声発生部４８からパスワード入力の音声案内メッセージを送出する。遠隔操作用電話機１０から入力されたパスワードと登録されたパスワードとが一致した時に音声案内メッセージに従い遠隔操作用電話機１０を操作して対応するパソコン本体をオン、オフまたはリセット制御する。【選択図】  図１
2005318004.tif 000002
【特許請求の範囲】
【請求項１】
公衆回線網に接続された電話端末からの指令信号に基づいて、ネットワークに接続された複数の遠隔対象コンピュータの現状態を他の状態に遠隔制御するコンピュータの遠隔制御装置であって、
前記任意１つの遠隔対象コンピュータに接続され前記電話端末からの指令信号に基づいて前記各遠隔対象コンピュータの現状態を他の状態に各別に遠隔制御する遠隔制御部を有し、
前記遠隔制御部は、前記公衆回線網との整合を行う電話整合部と、前記各遠隔対象コンピュータに対する前記発信者識別情報及びパスワード等の識別データを格納するデータ記憶部と、前記電話端末から前記公衆回線網を通して送信される発信者識別情報を取得するＣＩＤ部と、前記電話端末に対して遠隔操作のための音声案内メッセージを発生する音声発生部と、遠隔制御部全体を管理し制御するとともに前記電話端末からの指令信号に応じて前記任意１つの遠隔対象コンピュータを現状態から他の状態に遠隔操作する信号を送出するＣＰＵを備え、
前記ＣＰＵに接続され前記任意１つの遠隔対象コンピュータを除く他の遠隔対象コンピュータに対して前記電話端末からの操作指令情報を送信するとともに前記他の遠隔対象コンピュータの状態情報を含む各種の情報を受信するマスター送受信部と、前記他の遠隔対象コンピュータに別々に設けられ前記マスター送受信部から送信される操作指令情報が自身当ての情報と認識された時に該操作指令情報を受信して該操作指令情報に従いこれに対応する他の遠隔対象コンピュータを現状態から他の状態に遠隔操作する信号を送出するとともに該他の遠隔対象コンピュータの状態情報を含む各種の情報を前記マスター送受信部へ送信する複数のスレーブ送受信部を有し、
前記ＣＰＵは、前記電話端末の発信に対応するリングトーンが所定回数到来したことを判定した時及び前記発信者識別情報が前記データ記憶部に登録されている情報であると判定した時にのみ前記電話端末と前記遠隔制御部間の通話ループが形成されるように制御され、かつ前記通話ループ形成後に前記ＣＰＵにより前記音声発生部を制御して前記電話端末に対し該電話端末からのパスワード入力のための音声案内メッセージを送出し、さらに前記ＣＰＵが前記音声案内メッセージに従い前記電話端末から入力されたパスワードと前記データ記憶部に登録されたパスワードとが一致すると判定した時は前記音声発生部を制御して前記電話端末に対し前記識別された遠隔対象コンピュータの現状態を変更制御するための音声案内メッセージを送出し、この音声案内メッセージに従い前記電話端末から前記識別された遠隔対象コンピュータを現状態から他の状態に遠隔操作する指令を入力するように構成したことを特徴とするコンピュータの遠隔制御裝置。
【請求項２】
前記電話端末から送出されるＤＴＭＦ信号を受信して前記ＣＰＵに供給するとともに前記ＣＰＵからの指令信号をＤＴＭＦ信号に変換して前記電話端末へ送信するＤＴＭＦ送受信部と、前記各遠隔対象コンピュータの状態を検出する検出部を備えることを特徴とする請求項１記載のコンピュータの遠隔制御裝置。
【請求項３】
前記各遠隔対象コンピュータが現状態から他の状態に変更される状態は、該遠隔対象コンピュータの電源をオンからオフ状態もしくはオフからオン状態または該遠隔対象コンピュータをリセットする状態であることを特徴とする請求項１または２記載のコンピュータの遠隔制御裝置。
【請求項４】
前記ＣＩＤ部で取得された発信者識別情報及び前記検出部で検出された状態情報は前記ＣＰＵにより前記データ記憶部に前記各遠隔対象コンピュータのアクセスに対する履歴データとして記憶されるように構成したことを特徴とする請求項１または２記載のコンピュータの遠隔制御裝置。
【請求項５】
前記検出部で検出された前記遠隔対象コンピュータの電源のオン／オフまたはリセットに相当する状態情報は前記音声発生部で音声メッセージに変換されて前記電話端末に転送され、もしくは前記ＤＴＭＦ送受信部でＤＴＭＦ信号に変換されて前記電話端末に転送されるように構成したしたことを特徴とする請求項１または２記載のコンピュータの遠隔制御裝置。
【請求項６】
前記データ記憶部に記憶された履歴データを前記ＣＰＵにより読み出し、この履歴データを前記ＤＴＭＦ送受信部及び電話整合部を通して前記電話端末に転送し、該履歴データを前記電話端末の表示部に表示できるように構成したしたことを特徴とする請求項１、２または４何れかに記載のコンピュータの遠隔制御裝置。
【請求項７】
前記ＣＰＵは、前記電話端末が前記遠隔対象コンピュータの電源をオンに選択することで前記遠隔対象コンピュータの電源がオンされた時、該遠隔対象コンピュータのＩＰアドレスを抽出し、このＩＰアドレスを前記電話端末に通知するように構成したことを特徴とする請求項１または２記載のコンピュータの遠隔制御裝置。
【請求項８】
前記抽出したＩＰアドレスは前記音声発生部で音声メッセージに変換されて前記電話端末に転送され、もしくは前記ＤＴＭＦ送受信部でＤＴＭＦ信号に変換されて前記電話端末に転送されるように構成したことを特徴とする請求項１、２または７の何れかに記載のコンピュータの遠隔制御裝置。
【請求項９】
前記遠隔対象コンピュータは電源供給部を備え、前記電話端末からの指令で前記遠隔対象コンピュータの電源がオン状態に変更された時、前記電源供給部から供給される電源を既に設定された外部通信裝置に供給するための電源コネクターを備えることを特徴とする請求項１または２記載のコンピュータの遠隔制御裝置。
【発明の詳細な説明】
【技術分野】
【０００１】
本発明は、遠隔操作対象であるパーソナルコンピュータ(以下、パソコンと略称する)の現状態を他の状態、すなわちパソコンの電源をオンもしくはオフ状態またはリセット状態に電話端末を利用して選択的に遠隔制御し、かつ各パソコンの状態を監視できるようにしたコンピュータの遠隔制御装置に関するものである。
【背景技術】
【０００２】
一般的に超高速通信網など所定の通信網に接続された特定パソコンを、超高速通信網など所定の通信網に接続された他のパソコンを利用して遠隔地から操作できるようにした遠隔制御方式がある。この場合、遠隔操作のための所定のプログラムを上記操作主体であるパソコン及び上記操作対象であるパソコンの各々に設けておく必要がある。
【特許文献１】特開２００１−０１４０６４号公報
【発明の開示】
【発明が解決しようとする課題】
【０００３】
しかし、このような従来の遠隔制御方式では、ユーザーが通信網に接続された遠隔操作対象パソコンの電源を予めオンにした状態でネットワ-クに接続されておかなければ、以後にユーザーが外出先である遠隔地のパソコンを使用して遠隔操作対象のパソコンを通信網を通じて遠隔操作することができない。しかも、遠隔操作対象のパソコンは使用されていないにも関わらず、その電源を常にオン状態に保持しておかなければならないため、不必要に電力が消費されてしまう問題がある。
【０００４】
また、従来の遠隔制御方式における遠隔操作対象のパソコンと遠隔操作用のパソコンとは通信網を介して１対１の関係に接続されるため、ＬＡＮのように遠隔操作対象のパソコンが複数台ある場合、外出先のパソコンを利用して、これらパソコンの電源をオンもしくはオフ状態またはリセットしようとすると、各遠隔操作対象パソコンと遠隔操作用パソコンとの間の通信ルートを遠隔操作対象パソコン毎に形成しなければならず、その遠隔操作が煩雑になり多くの時間も要するという問題がある。
【０００５】
本発明は、上記のような従来の問題を解決するためになされたもので、公衆回線網に接続された電話端末を利用して、ネットワークに接続され複数のパソコンの電源などの現状態を他の状態に遠隔地から確実にかつ簡便に制御できるようにしたコンピュータの遠隔制御装置を提供することを目的とする。
【課題を解決するための手段】
【０００６】
上記目的を達成するために本発明は、公衆回線網に接続された電話端末からの指令信号に基づいて、ネットワークに接続された複数の遠隔対象コンピュータの現状態を他の状態に遠隔制御するコンピュータの遠隔制御装置であって、前記任意１つの遠隔対象コンピュータに接続され前記電話端末からの指令信号に基づいて前記各遠隔対象コンピュータの現状態を他の状態に各別に遠隔制御する遠隔制御部を有し、前記遠隔制御部は、前記公衆回線網との整合を行う電話整合部と、前記各遠隔対象コンピュータに対する前記発信者識別情報及びパスワード等の識別データを格納するデータ記憶部と、前記電話端末から前記公衆回線網を通して送信される発信者識別情報を取得するＣＩＤ部と、前記電話端末に対して遠隔操作のための音声案内メッセージを発生する音声発生部と、遠隔制御部全体を管理し制御するとともに前記電話端末からの指令信号に応じて前記任意１つの遠隔対象コンピュータを現状態から他の状態に遠隔操作する信号を送出するＣＰＵを備え、前記ＣＰＵに接続され前記任意１つの遠隔対象コンピュータを除く他の遠隔対象コンピュータに対して前記電話端末からの操作指令情報を送信するとともに前記他の遠隔対象コンピュータの状態情報を含む各種の情報を受信するマスター送受信部と、前記他の遠隔対象コンピュータに別々に設けられ前記マスター送受信部から送信される操作指令情報が自身当ての情報と認識された時に該操作指令情報を受信して該操作指令情報に従いこれに対応する他の遠隔対象コンピュータを現状態から他の状態に遠隔操作する信号を送出するとともに該他の遠隔対象コンピュータの状態情報を含む各種の情報を前記マスター送受信部へ送信する複数のスレーブ送受信部を有し、前記ＣＰＵは、前記電話端末の発信に対応するリングトーンが所定回数到来したことを判定した時及び前記発信者識別情報が前記データ記憶部に登録されている情報であると判定した時にのみ前記電話端末と前記遠隔制御部間の通話ループが形成されるように制御され、かつ前記通話ループ形成後に前記ＣＰＵにより前記音声発生部を制御して前記電話端末に対し該電話端末からのパスワード入力のための音声案内メッセージを送出し、さらに前記ＣＰＵが前記音声案内メッセージに従い前記電話端末から入力されたパスワードと前記データ記憶部に登録されたパスワードとが一致すると判定した時は前記音声発生部を制御して前記電話端末に対し前記識別された遠隔対象コンピュータの現状態を変更制御するための音声案内メッセージを送出し、この音声案内メッセージに従い前記電話端末から前記識別された遠隔対象コンピュータを現状態から他の状態に遠隔操作する指令を入力するように構成したことを特徴とする。
【発明の効果】
【０００７】
本発明のコンピュータ遠隔制御装置においては、電話端末の発信に対応するリングトーンが所定回数到来したこと及び発信者識別情報がデータ記憶部に登録されている情報であるとＣＰＵで判定された時に電話端末と遠隔対象コンピュータ間の通話ループが形成される。その後、音声発生部から電話端末に対してパスワード入力の音声案内メッセージが送出され、この音声案内メッセージに従い電話端末から入力されたパスワードとデータ記憶部に登録されたパスワードとが一致したことがＣＰＵで判定された時に音声発生部から電話端末に送出される音声案内メッセージに従い電話端末を操作して指令を送出することにより、識別された遠隔対象コンピュータを現状態から他の状態、例えば識別された遠隔対象コンピュータの電源をオン状態もしくはオフ状態またはリセット状態に遠隔制御する。
【０００８】
これにより、遠隔対象コンピュータの現状態をユーザーの希望する状態に遠隔地から簡便にかつ確実に制御できるとともに省電力化が可能になる。
【０００９】
また、任意１つの遠隔対象コンピュータに設けたマスター送受信部と、前記任意１つの遠隔対象コンピュータを除く他の遠隔対象コンピュータのそれぞれに設けたスレーブ送受信部とを利用することにより、他の遠隔対象コンピュータに対し電話端末からの操作指令情報を送信して他の遠隔対象コンピュータを現状態から他の状態に遠隔操作することができる。
【発明を実施するための最良の形態】
【００１０】
本実施例における最良の形態は、遠隔操作用電話機の発信に対応するリングトーンが所定回数到来したこと及び発信者識別情報がデータ記憶部に登録されている情報であるとがＣＰＵで判定された時に遠隔操作用電話機と遠隔対象であるパソコン本体間の通話ループを形成し、その後、音声発生部から遠隔操作用電話機に対してパスワード入力の音声案内メッセージを送出する。そして、遠隔操作用電話機から入力されたパスワードとデータ記憶部に登録されたパスワードとが一致した時に音声発生部から遠隔操作用電話機に送出される音声案内メッセージに従って遠隔操作用電話機を操作することにより遠隔対象であるパソコン本体の電源をオンまたはオフ制御し、またはパソコン本体をリセット制御する。これによって、パソコン本体の遠隔制御を確実かつ容易にする。
【００１１】
また、任意１つの遠隔対象パソコン本体に設けたマスター送受信部と、この任意１つの遠隔対象パソコン本体を除く他の遠隔対象パソコン本体のそれぞれに設けたスレーブ送受信部とを利用することにより、他の遠隔対象パソコン本体に対し電話端末からの操作指令情報を送信して他の遠隔対象パソコン本体を現状態から他の状態に遠隔操作することができるようにした。
【実施例１】
【００１２】
以下、本発明にかかるコンピュータ遠隔制御装置の実施例について図面を参照して詳細に説明する。
【００１３】
図１は本発明にかかるコンピュータ遠隔制御装置の一例を示すブロック図、図２は本発明にかかるコンピュータ遠隔制御装置の動作手順を示すフローチャートである。
【００１４】
図１において、２０，１１０，１２０，・・・は遠隔操作対象となるパソコン（ＰＣ）本体であり、これらパソコン本体２０，１１０，１２０・・・はＬＡＮやＷＡＮ等のネットワークに接続され、相互の通信が可能になっている。
【００１５】
前記パソコン本体２０，１１０，１２０・・・のうち、パソコン本体２０は、各部に電源を供給する電源供給部３０及びＰＣＩ（Peripheral Component Interconnect）スロット３２を備え、更に、このパソコン本体２０には、これを遠隔地にあるリモートコントロール用電話端末（遠隔操作用電話機１０）からの指令信号に基づいてパソコン本体２０，１１０，１２０・・・を希望する状態、例えば電源をオン状態またはオフ状態し、あるいはパソコン本体２０を電気的にリセットする状態に遠隔制御するための遠隔制御部４０が実装され、この遠隔制御部４０はＰＣＩスロット３２を通してパソコン本体２０と接続される。
【００１６】
また、パソコン本体２０を除く他のパソコン本体１１０，１２０・・・もパソコン本体２０と同様に電源供給部及びＰＣＩスロットを備えている。
【００１７】
前記遠隔制御部４０は、公衆電話交換網（公衆回線網）１２及びパソコン本体２０の設置場所に設置された外部電話機４４との整合を行う電話整合部４２と、前記公衆電話交換網１２を通して遠隔操作用電話機１０からの発信者識別情報を取得するＣＩＤ（Caller Identification Delivery）部４３と、前記発信者識別情報やパスワード及びパソコン本体２０，１１０，１２０・・・のＩＤコード（識別コード）などのデータを格納するデータ記憶部４６と、遠隔操作用電話機１０を操作する発信者に対して遠隔制御のための音声案内メッセージを発生する音声発生部４８と、遠隔制御部４０全体を管理し制御するとともに遠隔操作用電話機１０からのオン／オフまたはリセット指令に応じてパソコン本体２０，１１０，１２０・・・に対し電源のオン／オフ信号又はリセット信号を送出するＣＰＵ５０と、遠隔操作用電話機１０からのＤＴＭＦ(Dual Tone Multi-Frequency)信号を受信してディジタル信号に変換してＣＰＵ５０へ送出するとともにＣＰＵ５０からの指令信号をＤＴＭＦ信号に変換して遠隔操作用電話機１０へ送信するＤＴＭＦ送受信部５２と、パソコン本体２０，１１０，１２０・・・の電源のオン／オフまたはリセット状態を検出してＣＰＵ５０へ送出し、かつＤＴＭＦ送受信部５２との間で電源のオン／オフ信号またはリセット信号の受け渡しを行うオン／オフ／リセット検出部５４と、通信装置７０に電源供給部３０から電源を供給するための電源コネクター５６及び標準のシリアル通信ポ-ート５８を備えている。
【００１８】
前記ＣＰＵ５０にはマスター送受信部１００が接続され、また、パソコン本体２０を除く他のパソコン本体１１０，１２０・・・にはスレーブ送受信部１１２，１２２・・・がそれぞれ設けられている。
【００１９】
前記マスター送受信部１００は他のパソコン本体１１０，１２０・・・に対して前記遠隔操作用電話機１０からの操作指令情報を送信するとともに他のパソコン本体１１０，１２０・・・の状態情報を含む各種の情報を受信するものである。また、スレーブ送受信部１１２，１２２・・・マスター送受信部１００から送信される操作指令情報がＩＤコードを基に自分当ての情報と認識された時に、この操作指令情報を受信して該操作指令情報に従いこれに対応する他のパソコン本体１１０，１２０・・・を現状態から他の状態、例えばパソコン本体１１０，１２０・・・の電源をオンからオフ状態もしくはオフからオン状態またはパソコン本体１１０，１２０・・・をリセットする状態に遠隔操作するための信号を送出するとともに、このパソコン本体１１０，１２０・・・の状態情報を含む各種の情報をマスター送受信部１００へ送信するものである。
【００２０】
前記遠隔操作用電話機１０は、通常の電話機としても使用できるもので、公衆電話交換網１２を通して遠隔制御部４０の電話整合部４２に接続され、また、外部電話機４４は遠隔制御部４０の電話整合部４２に直接接続されている。
【００２１】
前記通信裝置７０はＡＤＳＬモデムやケーブルモデムなどから構成され、パソコン本体２０と図示省略の他のパソコン、例えば発信者の外出先にあるパソコンとは通信裝置７０及び通信網８０を通して接続できるように構成され、パソコン本体２０と図示省略の他のパソコンとの間ではインターネット通信などを遂行できるようになっている。
【００２２】
前記パソコン本体２０内の電源供給部３０は、ＳＭＰＳ(Switching Mode Power Supply) などで構成され、交流電源(ＡＣ１００Ｖ)を＋５Ｖ，＋１２Ｖ，＋５ＶＳＢ(待機電圧)などの複数の安定した直流電圧に変換してＰＩＣスロット３２及び各々のコネクターに供給する。特に、電源供給部３０はパソコン本体２０の電源がオフになっている状態でも直流電圧＋５Ｖか＋３．３Ｖなどの待機電圧をパソコン本体２０に供給できるように構成されている。この機能は他のパソコン本体１１０，１２０・・・も備えている。
【００２３】
したがって、遠隔制御部４０には＋５ＶＳＢなどの待機電圧をパソコン本体２０の電源のオン/オフに関係なくいつでも供給することが可能である。
【００２４】
前記遠隔制御部４０の電話整合部４２は公衆電話交換網１２との間の整合をとるためのもので、パソコン本体２０，１１０，１２０・・・の遠隔操作に際し、遠隔操作用電話機１０からパソコン本体２０側の外部電話機４４に電話をかけた時に公衆電話交換網１２から提供されるリングトーン信号は外部電話機４４に供給されると同時にＣＩＤ部４３を通してＣＰＵ５０にも供給される。ここで、リングトーン信号が外部電話機４４に供給されることで外部電話機４４が鳴動されるが、予め設定した所定回数のリングトーン数以内に周辺にいる人が外部電話機４４をフックオフすれば、この外部電話機４４に直接出ることが可能である。
【００２５】
また、前記公衆電話交換網１２に対する一般的な発信者識別情報としては、発信者毎に特別に付与された特定の電話番号などである。また、パソコン本体２０とつながる各電話線は通常的な電話交換機によって接続される。
【００２６】
前記データ記憶部４６には、発信者識別情報（遠隔制御を許可した特定の発信者電話番号など）や特定ユー-ザーのパスワード及びパソコン本体２０，１１０，１２０・・・のＩＤコードなどの情報が記憶できるようになっている。また、データ記憶部４６は上記発信者識別情報等の特定の情報がＣＰＵ５０によってリ-ード／ライトできるように構成されている。また、標準のシリアル通信ポ-ト５８を通して抽出されたＩＰアドレス等の情報はパソコンを通してユー-ザー--が見ることができる。
【００２７】
また、ＣＩＤ部４３は着信時の発信者識別情報を電話整合部４２を通じて取得し、そして、パソコン本体２０，１１０，１２０・・・に対してアクセスする度に取得された発信者識別情報はＣＰＵ５０によりデータ記憶部４６に時系列に記憶される。さらに、このデータ記憶部４６には、パソコン本体２０，１１０，１２０・・・に対するアクセス時及び終了時の日時とパソコン本体２０，１１０，１２０・・・に対するアクション情報が発信者識別情報に関連付けて時系列、すなわち着信の履歴データとして記憶される。したがって、データ記憶部４６に記憶された履歴データを読み出して遠隔操作用電話機１０の表示部に表示することにより、多数の発信者識別情報に対応する発信者リストを確認することができる。これにより、予め登録された発信者電話場番号等の発信者識別情報以外のユーザーによるパソコン本体２０，１１０，１２０・・・へのアクセス及び遠隔制御を制限できる。
【００２８】
前記音声発生部４８はＣＰＵ５０の制御により、パスワード入力及び遠隔制御のための各種案内音声を選択的に発生する。また、この音声発生部４８はパソコン本体２０に設置されるサウンドカー-ドを利用しても構成することができる。
【００２９】
前記ＣＰＵ５０はＣＩＤ部４３で取得した発信者識別情報を取り込み、かつ遠隔操作用電話機１０の発信に対応するリングトーンを電話整合部４２を通して所定の回数以上受信した場合、遠隔制御部４０をフックオフ状態にして着信通話ルー-プを形成する。その後、ＣＰＵ５０は音声発生部４８を制御することにより、発信者である遠隔操作用電話機１０に対してパスワードを入力するための音声案内メッセージを送出する。これに従い、ＣＰＵ５０が遠隔操作用電話機１０から入力されるパスワードとデータ記憶部４６に登録されているパスワードとが一致したと判定した場合は、音声発生部４８をＣＰＵ５０により制御して、発信者である遠隔操作用電話機１０に対して遠隔制御のための音声案内メッセージを電話整合部４２を通じて送出する。ここで、パスワードが一致したと判定した場合でも上記ＣＩＤ部４３で取得した発信者電話番号等の発信者識別情報がデータ記憶部４６に予め登録された情報と一致しない場合は遠隔制御を拒否することができる。
【００３０】
このような本実施例においては、発信者が遠隔制御のための特定の音声案内メッセージに従ってパソコン本体２０，１１０，１２０・・・に対して希望する遠隔制御を行うことができる。すなわち、ＣＰＵ５０はパソコン本体２０，１１０，１２０・・・の電源のオン/オフまたはリセットなどに対応して遠隔操作用電話機１０の特定の数字ボタンあるいは文字ボタンをプッシュ操作することに従い、その制御を遂行する。この場合、パソコン本体２０，１１０，１２０・・・の電源のオン/オフまたはリセット制御は特定信号による一般的なパソコンで遂行している方式と同一である。
【００３１】
例えば、 上記ＣＰＵ５０の Ｉ／Ｏ制御でパソコン本体２０のマザーボードの 電源スイッチの接点に連動してパソコンの電源をオンにするオン信号によりパソコン本体２０を再起動したり、オフ信号をかけて、パソコン本体２０の電源をオフできる。また、上記ＣＰＵ５０の Ｉ／Ｏ制御でＰＣＩバスＲＳＴ＃信号を発生させることにより、パソコン本体２０を再起動することができる。この場合のリセットは電気的にリセットされたことを意味する。
【００３２】
ＤＴＭＦ送受信部５２は電話整合部４２とＣＰＵ５０との間に接続されて、遠隔操作用電話機１０から提供される特定ボタン選択に対応するＤＴＭＦ信号を受信し、このＤＴＭＦ信号を特定電話のボタンの選択に対応するディジタル信号に変換して、ＣＰＵ５０に送出する。また、ＤＴＭＦ送受信部５２はＣＰＵ５０から送出されるディジタル信号を受けてＤＴＭＦ信号に変換し、遠隔操作用電話機１０に送出する。
【００３３】
例えば、ＤＴＭＦ送受信部５２はユー-ザーがパスワードもしくは命令を入力するために遠隔操作用電話機１０に備わった所定のボタンをプッシュ操作した場合、それに対応するＤＴＭＦ信号を受け、このＤＴＭＦ信号を所定のボタンに対応するディジタル信号に変換してＣＰＵ５０に出力し、ＣＰＵ５０はユー-ザーがプッシュ操作した所定のボタンを認識するようになる。
【００３４】
また、ＣＰＵ５０は標準のシリアル通信ポー-ト５８を通じて抽出したパソコン本体２０のＩＰアドレスをＤＴＭＦ送受信部５２を通して遠隔操作用電話機１０からＤＴＭＦ信号形式で提供し、遠隔操作用電話機１０に備わっている表示部にＩＰアドレスを表示することでユー-ザー--が見ることができる。もちろん、ＣＰＵ５０が音声発生部４８を制御してＩＰアドレスを遠隔操作用電話機１０から音声で提供することもできる。この機能はパソコン本体１１０，１２０・・・においても可能である。
【００３５】
遠隔制御部４０のオン／オフ／リセット検出部５４は、パソコン本体２０，１１０，１２０・・・の電源がオン／オフまたはリセットされるにつれて発生するオン／オフ／リセット信号をＰＣＩスロット３２を通して検出し、この検出信号をＣＰＵ５０に取り込むことにより、ＣＰＵ５０は現在のパソコン本体２０，１１０，１２０・・・の電源がオンまたはオフ状態、またはパソコン本体２０，１１０，１２０・・・がリセットされたことを認識する。また、ＰＣＴバスＲＳＴ＃信号を検出してＣＰＵ５０に知らせ、これにより、ＣＰＵ５０はパソコン本体２０，１１０，１２０・・・のリセットの可否を認識する。
【００３６】
電源コネクター５６はパソコン本体２０の電源がオンの場合、電源供給部３０から電源を受けてＡＤＳＬモデムやケーブルモデムなどの通信裝置７０に供給し、ＣＰＵ５０のＩ／Ｏ制御で通信裝置７０の電源がオン／オフ動作するようにする。
【００３７】
したがって、通信裝置７０が動作するようになった場合は、遠隔操作用電話機１０のユー-ザー--が通信網８０を介して通信裝置７０に接続される図示省略の外部パソコンを起動して、この外部パソコンを遠隔操作対象であるパソコン本体２０のＩＰアドレスで通信網８０に接続し、同時に通信裝置７０を通じて遠隔操作對象のパソコン本体２０に接続して、外部パソコンからパソコン本体２０を遠隔操作することも可能である。この機能はパソコン本体１１０，１２０・・・においても可能である。
【００３８】
上述した本発明にかかる実施例の遠隔制御装置では、ＰＣＩ規格によりパソコン本体２０の電源がオフになっている状態でも、電源供給部３０から提供される待機電源を使用した待機動作中であってもＰＣＩスロット３２から＋５Ｖなどの電源をＣＰＵ５０で受けることにより、パソコン本体２０の電源をオンにできる。このことはパソコン本体１１０，１２０・・・においても可能である。
【００３９】
また、本発明においては、公衆電話交換網１２に接続された電話線にかかる電源を適切に変換したり、別途の電池を内蔵して使うこともできる。
【００４０】
また、本発明の遠隔制御装置を使って遠隔地から特定パソコンの電源またはモデムの電源をオンにしてパソコンを別途のＡＤＳＬモデムやケーブルモデムなどの通信裝置７０を通じて遠隔操作することもできる。
【００４１】
パソコン本体１１０，１２０・・・の遠隔制御に際しては、前記マスター送受信部１００がＣＰＵ５０を通して供給される遠隔操作用電話機１０で入力した数字ボタンあるいは文字ボタン等に対応するパソコン本体１１０，１２０・・・のＩＤコードと操作指令を受け、このＩＤコードと操作指令をスレーブ送受信部１１２，１２２・・・に向けて送信する。各スレーブ送受信部１１２，１２２・・・では、受信したＩＤコードが自身のパソコン本体１１０または１２０・・・に付与されたＩＤコードであるか否かを判定し、自身のＩＤコードであると判定された時は、このＩＤコードに対応する操作指令に従ってパソコン本体１１０または１２０・・・の現状態を他の状態に遠隔制御する。例えば、パソコン本体１１０または１２０・・・の電源をオンからオフ状態もしくはオフからオン状態またはパソコン本体１１０または１２０・・・をリセット状態する。
【００４２】
また、パソコン本体１１０または１２０・・・が操作指令に従い動作された後の状態情報は、それぞれのスレーブ送受信部１１２，１２２・・・によりマスター送受信部１００に向け送信される。そして、マスター送受信部１００で受信されたパソコン本体１１０または１２０・・・からの状態情報はＣＰＵ５０に取り込まれ、されに、パソコン本体１１０または１２０・・・のアクション情報は、パソコン本体１１０または１２０・・・へのアクセス時及び終了時の日時と発信者識別情報と共に時系列で履歴データとしてデータ記憶部４６に記憶される。また、データ記憶部４６に記憶された履歴データを読み出して遠隔操作用電話機１０の表示部に表示することにより、パソコン本体１１０または１２０・・・に対する発信者リストを確認することができる。
【００４３】
また、上記スレーブ送受信部１１２，１２２・・・は、これに対応するパソコン本体１１０，１２０・・・のそれぞれに対してリセット、電源のオン・オフを制御し、パソコンの標準シリアル通信ポートまたはＰＣＩスロットの信号を通じ、他のパソコンとの通信機能を支援する。
【００４４】
なお、前記マスター送受信部１００及びスレーブ送受信部１１２，１２２・・・はパソコン本体２０，１１０，１２０・・・のそれぞれに内蔵させてもよく、また、パソコン本体２０，１１０，１２０・・・に外付けで設けるようにしてもよい。外付けの場合、別途の電源装置を使うことが望ましい。
【００４５】
また、遠隔地から特定のスレーブ側のパソコン本体１１０または１２０・・を指定し、その電源をオンにしてから該当パソコン本体に設定されている固定ＩＰアドレス、またはダイヤルアップにより設定される流動ＩＰアドレスなどを音声やＤＴＭＦ信号などで提供し、遠隔地からネットワークを通じて遠隔操作できる。
【００４６】
次に、この実施例にかかるパソコン遠隔制御裝置の動作手順について図２を参照して説明する。
【００４７】
まず、遠隔操作用電話機１０から外部電話機４４に対してダイヤルする。これに伴い、リングトーン信号が公衆電話交換網１２から遠隔制御部４０に伝送されると同時に、予めリングトーン信号との間に挿入した発信者識別情報（ＣＩＤ情報）も遠隔制御部４０に伝送される。ここで、電話整合部４２で受けたリングトーン信号が外部電話機４４に供給されることにより外部電話機４４が鳴動する。これと同時に、リングトーン信号は電話整合部４２及びＣＩＤ部４３を通してＣＰＵ５０に送られ、このＣＰＵ５０リングトーン数が計数される。
【００４８】
一方、ＣＩＤ部４３では、電話整合部４２を通して送られてくる発信者識別情報を取得し、この取得された発信者識別情報は着信時の日時データなどと共にＣＰＵ５０によりデータ記憶部４６に格納される（ステップＳ８）。そして、ＣＰＵ５０ではリングトーンが電話整合部４２を通じて、例えば１０回以上到来した否かを判定する。これと同時に、取得された発信者識別情報がデータ記憶部４６に登録されている情報であるか否か判定する(ステップＳ１０)。ここで、１０回以上のリングトーンが到来したと判定され、かつ発信者識別情報が登録された情報であると判定された場合は、遠隔制御部４０をフックオフ状態にして遠隔操作用電話機１０と遠隔制御部４０間の通話ループを設定する（ステップＳ１２）。また、到来するリングトーンの数が１０回以下と判定された場合は、ステップＳ１０の判定処理を再度実行する。また、到来するリングトーンの数が１０回以下で、かつ発信者識別情報の判定結果が否定された場合はパソコン本体２０または１１０，１２０・・・に対する発信者からの遠隔制御を拒否し、処理は終了する。
【００４９】
次に、ＣＰＵ５０では音声発生部４８を制御することにより、発信者にパスワード入力のための音声案内メッセージを送出する(ステップＳ１４)。この音声案内メッセージは電話整合部４２から公衆電話交換網１２を通して遠隔操作用電話機１０に送られる。
【００５０】
次いで、ＰＣＩスロット３２を通してオン／オフ／リセット検出部５４で検出したパソコン本体２０または１１０，１２０・・・の現在の状態、即ちパソコン本体２０または１１０，１２０・・・の電源のオンまたはオフ状態あるいはリセット状態をＤＴＭＦ送受信部５２から電話整合部４２及び公衆電話交換網１２を通して遠隔操作用電話機１０に送出する（ステップＳ１５）。このパソコン本体２０または１１０，１２０・・・の状態は遠隔操作用電話機１０の表示部に表示される。これと同時に、現時点における上記パソコン本体２０または１１０，１２０・・・の電源のオンまたはオフ状態あるいはリセット状態はＣＰＵ５０に通知される。
【００５１】
上記音声案内メッセージを受けた遠隔操作用電話機１０では、音声案内メッセージに従ってパスワードを入力する。この入力されたパスワードは電話整合部４２及びＤＴＭＦ送受信部５２を通してＣＰＵ５０に取り込まれる。ＣＰＵ５０では発信者である遠隔操作用電話機１０で入力されたパスワードとデータ記憶部４６に登録されているパスワードとが一致するか否か判定する(ステップＳ１６)。ここで、パスワードが一致したと判定された場合、音声発生部４８を制御して、パソコン本体２０または１１０，１２０・・・に対して発信者が遠隔操作用電話機１０で希望の命令を入力することを表す音声案内メッセージを送出する(ステップＳ１８)。この音声案内メッセージは電話整合部４２から公衆電話交換網１２を通して遠隔操作用電話機１０に送られる。その後、発信者は音声案内メッセージ及び現在のパソコン本体２０または１１０，１２０・・・の状態に従って発信者が希望の命令、すなわち電源のオン命令、オフ命令またはリセット命令等の命令を遠隔操作用電話機１０のプッシュボタンなどを操作することにより入力する。そして、これらの命令情報は公衆電話交換網１２から電話整合部４２を通してＤＴＭＦ送受信部５２に送られ、ディジタル信号に変換された後ＣＰＵ５０に取り込まれる。これに伴い、ＣＰＵ５０では発信者が入力した命令がどのような命令かを判定する(ステップＳ２０)。また、ステップＳ１６において、パスワードが一致しないと判定された場合はステップＳ２８に移行してパソコン本体２０または１１０，１２０・・・の電源をオフにする。
【００５２】
上記ステップＳ２０において、遠隔操作用電話機１０で入力した命令がパソコン本体２０の電源をオンする指令であると判定された場合は、ＣＰＵ５０から電源オンの信号を出力してパソコン本体２０または１１０，１２０・・・の電源をオンする（ステップＳ２２）。これにより、遠隔対象であるパソコン本体２０または１１０，１２０・・・には電源が供給され、正常に起動する。その後、ＣＰＵ５０は、他のパソコンのシリアル通信ポ-ートにつながったパソコン本体２０または１１０，１２０・・・の標準のシリアル通信ポー-ト５８を通じてＩＰアドレスを抽出する(ステップＳ２４)。この場合、ＩＰアドレスを抽出するための所定のプログラムが遠隔制御部４０のデータ記憶部４６に設置されていなければならない。次いで、ＣＰＵ５０で音声発生部４８及びＤＴＭＦ送受信部５２を選択的に制御することにより、抽出したＩＰアドレスを音声発生部４８で音声に変換して発信者に送出し、またはＤＴＭＦ送受信部５２でＤＴＭＦ信号に変換して遠隔操作用電話機１０に送出する（ステップＳ２６）。その後はステップＳ１８にリターンする。
【００５３】
この場合、ＩＰアドレスをＤＴＭＦ送受信部５２でＤＴＭＦ信号に変換し、または音声発生部４８からの音声メッセージとして遠隔操作用電話機１０に送り出す。遠隔操作用電話機１０では、ＩＰアドレスを音声で聞いたり、遠隔操作用電話機１０に備わった表示部にＩＰアドレスを表示することで見ることができる。
【００５４】
また、上記ステップＳ２０において、発信者が入力した命令がパソコン本体２０の電源をオフする指令であると判定された場合は、ＣＰＵ５０から電源オフの信号を出力してパソコン本体２０または１１０，１２０・・・の電源をオフする（ステップＳ２８）。その後はステップＳ１８にリターンする。
また、上記ステップＳ２０において、遠隔操作用電話機１０で入力した命令がパソコン本体２０または１１０，１２０・・・の電源のオンまたはオフではなく、これと違う通話終了などの他の命令である場合は、これら他の命令を実行し（ステップＳ３０）、ステップＳ１８にリターンする。
【００５５】
なお、この場合、ＣＰＵ５０は遠隔操作用電話機１０で入力した命令の実施毎に音声発生部４８を制御して、命令を遠隔操作用電話機１０に音声で送り出すことができる。
【００５６】
このような本実施例によれば、ユ-ーザー--が遠隔地から発信者識別情報、例えば特定の電話番号で加入された電話回線につながっている遠隔操作用電話機１０を音声案内メッセージに従って操作することにより、パソコン本体２０，１１０，１２０・・・の電源を遠隔地から選択的に、かつ簡便にオン／オフ制御またはパソコン本体２０をリセット制御することができる。したがって、遠隔操作對象であるパソコンを前にオンにしておく必要がないため、省電力化が可能になり、極めて便利である。
【００５７】
さらに、ユー-ザー--の不注意でパソコンの電源をオンにしたまま外出した場合でも遠隔地から電話をかけてパソコンの電源をオフにすることができる。また、パソコンにエラ-が発生した状態で急に外出しても遠隔地からリセットして、所定の正常の起動時間を待ってパソコンの電源を正常にオフにすることもできる。
【００５８】
また、この実施例によれば、遠隔対象であるパソコン本体２０に設けたマスター送受信部１００と、このパソコン本体２０を除く他のパソコン本体１１０，１２０・・・のそれぞれに設けたスレーブ送受信部１１２，１２２・・・とを利用することにより、他のパソコン本体１１０，１２０・・・に対しも遠隔操作用電話機１０からの操作指令情報を送信して他のパソコン本体１１０，１２０・・・を現状態から他の状態に簡単にかつ確実に遠隔操作することができるとともに、ＩＰアドレスの占有を抑制できる。
【００５９】
なお、本発明においてパソコン本体２０の遠隔制御に用いられる電話機は、上記実施例に示すような据付型のボタン電話機に限らず、携帯電話機を利用して同様な作用効果が得られる。
【図面の簡単な説明】
【００６０】
【図１】本発明にかかるコンピュータ遠隔制御装置の一例を示すブロック図である。
【図２】本発明にかかるコンピュータ遠隔制御装置の動作手順を示すフローチャートである。
【符号の説明】
【００６１】
１０  遠隔操作用電話機
１２  公衆電話交換網
２０  パソコン本体
３０  電源供給部
３２  ＰＣＩスロット
４０  遠隔制御部
４２  電話整合部
４４  外部電話機
４６  データ記憶部
４８  音声発生部
５０  ＣＰＵ
５２  ＤＴＭＦ送受信部
５４  オン／オフ／リセット検出部
５６  電源コネクター
５８  シリアル通信ポ-ート
７０  通信装置
８０  通信網
１００  マスター送受信部
１１０，１２０  パソコン本体
１１２，１２２  スレーブ送受信部
【図１】
2005318004.tif 000003
【図２】
2005318004.tif 000004